(57)【要約】【課題】ＭＤとデジタルオーディオ機器用記録媒体との間の楽曲の記録時に、記録後の楽曲の管理が容易な記録装置を提供する。【解決手段】ＭＤ１０の楽曲をデジタルオーディオ機器用記録媒体例えばＵＳＢメモリ２３に記録する際に、ＭＤ１０の楽曲がＭＤグループに属している場合、ＭＤグループに対応して、記録先のＵＳＢメモリ２３にフォルダを作成し、ＭＤグループごとに、対応するフォルダに楽曲を記録する。また、ＭＤグループ名が付されている場合、作成したフォルダに前記ＭＤグループ名に相当するフォルダ名を付与する。逆に、ＵＳＢメモリ２３の楽曲をＭＤ１０に記録する際に、ＵＳＢメモリ２３の楽曲が属するフォルダに対応して、記録先のＭＤ１０にＭＤグループを作成し、フォルダごとに、対応するＭＤグループに楽曲を記録する。また、前記フォルダに付されているフォルダ名に相当するＭＤグループ名を、作成したＭＤグループに付与する。【選択図】        図１
2008299949.tif 000002
【特許請求の範囲】
【請求項１】
第１の記録媒体に記録された複数の楽曲を第２の記録媒体に記録する装置において、前記第１の記録媒体に記録されている楽曲がグループ管理されている楽曲であった場合、前記第２の記録媒体に前記グループに対応したフォルダを作成し、前記グループに属する楽曲を前記作成したフォルダに属するように記録することを特徴とする記録装置。
【請求項２】
前記第１の記録媒体におけるグループに名称が付与されている場合、
前記第２の記録媒体に作成するフォルダに対して、前記グループの名称に相当する名称を付与することを特徴とする請求項１に記載の記録装置。
【請求項３】
前記第２の記録媒体に作成したフォルダに属するように記録した各楽曲のタグ情報として、前記第１の記録媒体のグループに関する情報を付与することを特徴とする請求項２に記載の記録装置。
【請求項４】
前記第１の記録媒体におけるグループに対してグループ名称が付与されていなかった場合、前記第２の記録媒体に作成するフォルダの名称を、少なくとも連番を含むフォルダ名を付与することを特徴とする請求項１に記載の記録装置。
【請求項５】
第２の記録媒体に作成した前記フォルダを含む上位のフォルダをさらに作成し、該上位のフォルダに対して、前記第１の記録媒体の名称に相当する名称を付与することを特徴とする請求項１ないし４のいずれかに記載の記録装置。
【請求項６】
第１の記録媒体に記録された複数の楽曲を第２の記録媒体に記録する装置において、前記第１の記録媒体に記録されている楽曲がフォルダに属している楽曲であった場合、前記第２の記録媒体に記録した楽曲を前記フォルダに対応するグループで管理されるように記録することを特徴とする記録装置。
【請求項７】
前記第１の記録媒体におけるフォルダに名称が付与されている場合、
前記第２の記録媒体で管理するグループに対して、前記フォルダの名称に相当する名称を付与することを特徴とする請求項６に記載の記録装置。
【請求項８】
第１の記録媒体に記録された複数の楽曲を第２の記録媒体に記録する記録方法において、前記第１の記録媒体に記録されている楽曲がグループ管理されている楽曲であった場合、前記第２の記録媒体に前記グループに対応したフォルダを作成し、前記グループに属する楽曲を前記作成したフォルダに属するように記録することを特徴とする記録方法。
【請求項９】
第１の記録媒体に記録された複数の楽曲を第２の記録媒体に記録する記録方法において、前記第１の記録媒体に記録されている楽曲がフォルダに属している楽曲であった場合、前記第２の記録媒体に記録した楽曲を前記フォルダに対応するグループで管理されるように記録することを特徴とする記録方法。
【請求項１０】
請求項８乃至９のいずれかに記載の記録方法を、コンピュータにより実行可能なプログラムとして実施することを特徴とする記録プログラム。
【発明の詳細な説明】
【技術分野】
【０００１】
本発明は、記録装置、記録方法および記録プログラムに関し、特にグループ管理されている楽曲をフォルダ構造として記録可能な記録装置、記録方法および記録プログラムに関する。
【背景技術】
【０００２】
最近、音楽情報を記録する多様なオーディオ機器が普及してきており、メモリやＨＤＤ（Hard Disk Drive）などの大容量メディアに保有している大量の楽曲データを記録して再生するなど、メディアの異なるオーディオ機器間で相互に音楽情報を記録し合うことが増加している。
【０００３】
ＭＤの楽曲を例えばＵＳＢオーディオに記録する際の動作について、図４を用いて説明する。図４は、ＭＤの楽曲を例えばＵＳＢオーディオに記録する際の従来の動作を説明するフローチャートである。
【０００４】
ＭＤの楽曲をＵＳＢオーディオに記録する場合（ステップＳ３１のＹＥＳ）、あらかじめ用意されているフォルダ名に連番を付けたフォルダを記録先の機器（ＵＳＢオーディオ）内に１つ作成する（ステップＳ３２）。しかる後に、ＭＤから記録する楽曲を、記録先の機器（ＵＳＢオーディオ）に作成したフォルダ内に楽曲を記録する動作を開始する（ステップＳ３３）。ＭＤの１つの楽曲の記録が終了するまで、記録動作を継続し（ステップＳ３４，Ｓ３５）、１曲の記録が終了すると（ステップＳ３５のＹＥＳ）、記録した楽曲にＭＤの曲名があるか否かを確認する（ステップＳ３６）。
【０００５】
ＭＤに当該楽曲の曲名があった場合には（ステップＳ３６のＹＥＳ）、ＭＤの曲名を、機器（ＵＳＢオーディオ）内に記録した楽曲ファイルのファイル名として付与し（ステップＳ３７）、ＭＤに当該楽曲の曲名がなかった場合には（ステップＳ３６のＮＯ）、機器（ＵＳＢオーディオ）内に記録した楽曲ファイルのファイル名として、あらかじめ用意されている楽曲の連番を付与する（ステップＳ３９）。しかる後、ＭＤから記録する次の楽曲がＭＤに存在しているか否かを確認して、次の楽曲が存在している場合は（ステップＳ３８のＹＥＳ）、ステップＳ３２に戻って、次の楽曲を記録先の機器（ＵＳＢオーディオ）のフォルダ内に記録する記録動作を繰り返すが、次の楽曲が存在しなくなった場合は（ステップＳ３８のＮＯ）、ＭＤから機器（ＵＳＢオーディオ）への記録を終了する。
【０００６】
しかしながら、図４にて説明したように、ＭＤと他のオーディオ機器との間の音楽情報の記録においては、特許文献１の特開２００３−１２３４４４号公報「グループ編集方法」においても同様であるが、ＭＤに記録した音楽情報を例えばメモリオーディオ、ＵＳＢオーディオ、内蔵ＨＤＤ等のデジタルオーディオ機器に記録する際に、ＭＤにて音楽情報を整理するために作成されているＭＤのグループ等には関係なく、ＭＤからの記録後にデジタルオーディオ機器側に作成されるフォルダは唯１つのみであり、当該フォルダ内に、ＭＤからの全曲が記録されてしまい、ＭＤ側で管理していたＭＤグループに関する情報が失われてしまう。このため、ユーザは、再度、フォルダを作成し直し、フォルダごとに音楽情報を整理し直すという煩雑な作業が発生するという問題がある。
【０００７】
さらに、ＭＤからの記録後にデジタルオーディオ機器側に引き継がれる名前は、楽曲の名前だけであり、デジタルオーディオ機器側には、ＭＤのグループ名が残っていないという問題もあった。
【特許文献１】特開２００３−１２３４４４号公報（第３−５頁）
【発明の開示】
【発明が解決しようとする課題】
【０００８】
前述のように、従来の技術においては、ユーザが、ＭＤの音楽情報を記録していた状態では、ＭＤのグループ機能を用いて、ＭＤ内の楽曲を適切に分類整理してＭＤのグループとして管理しているにも関わらず、ＭＤからメモリオーディオ、ＵＳＢオーディオ、内蔵ＨＤＤ等のデジタルオーディオ機器に記録した際には、１つのフォルダに纏められてしまい、さらに、当該フォルダには、あらかじめ定められた名前が付与されてしまい、ＭＤのディスクタイトル名に相当するようなフォルダ名が転記されないため、記録後のデジタルオーディオ機器での楽曲の管理が、煩雑になり、困難になってしまう。
【０００９】
このため、デジタルオーディオ機器に記録した後、ユーザは、新たなフォルダを作成して、記録した楽曲を分類整理し直したり、フォルダ名を新たに入力して作成したりしなければならなかったので、面倒であり、未整理のままの状態で放置され、ＭＤからの楽曲をデジタルオーディオ機器において利用する際の使い勝手が良くないという問題があった。
【００１０】
本発明は、前述のような従来技術の問題点に鑑みてなされたものであり、楽曲をグループ管理する第１の記録媒体（例えばＭＤ）と、第２の記録媒体（例えばメモリオーディオ、ＵＳＢオーディオ、内蔵ＨＤＤ等のデジタルオーディオ機器）間で楽曲の記録を行う際に、第１の記録媒体が有するグループ情報（つまり、グループ構造、グループ名）とデジタルオーディオ機器のフォルダ情報（つまり、フォルダ構造、フォルダ名）とを対応付けて記録する、記録装置、記録方法および記録プログラムを提供することを、その目的としている。
【課題を解決するための手段】
【００１１】
前述の課題を解決するため、本発明による記録装置、記録方法および記録プログラムは、次のような特徴的な構成を採用している。
【００１２】
（１）第１の記録媒体に記録された複数の楽曲を第２の記録媒体に記録する装置において、前記第１の記録媒体に記録されている楽曲がグループ管理されている楽曲であった場合、前記第２の記録媒体に前記グループに対応したフォルダを作成し、前記グループに属する楽曲を前記作成したフォルダに属するように記録する記録装置。
（２）前記第１の記録媒体におけるグループに名称が付与されている場合において、
前記第２の記録媒体に作成するフォルダに対して、前記グループの名称に相当する名称を付与する上記（１）の記録装置。
（３）前記第２の記録媒体に作成したフォルダに属するように記録した各楽曲のタグ情報として、前記第１の記録媒体のグループに関する情報を付与する上記（２）の記録装置。
（４）前記第１の記録媒体におけるグループに対してグループ名称が付与されていなかった場合において、前記第２の記録媒体に作成するフォルダの名称を、少なくとも連番を含むフォルダ名を付与する上記（１）の記録装置。
（５）第２の記録媒体に作成した前記フォルダを含む上位のフォルダをさらに作成し、該上位のフォルダに対して、前記第１の記録媒体の名称に相当する名称を付与する上記（１）ないし（４）のいずれかの記録装置。
（６）第１の記録媒体に記録された複数の楽曲を第２の記録媒体に記録する装置において、前記第１の記録媒体に記録されている楽曲がフォルダに属している楽曲であった場合、前記第２の記録媒体に記録した楽曲を前記フォルダに対応するグループで管理されるように記録する記録装置。
（７）前記第１の記録媒体におけるフォルダに名称が付与されている場合において、
前記第２の記録媒体で管理するグループに対して、前記フォルダの名称に相当する名称を付与する上記（６）の記録装置。
（８）第１の記録媒体に記録された複数の楽曲を第２の記録媒体に記録する記録方法において、前記第１の記録媒体に記録されている楽曲がグループ管理されている楽曲であった場合、前記第２の記録媒体に前記グループに対応したフォルダを作成し、前記グループに属する楽曲を前記作成したフォルダに属するように記録する記録方法。
（９）第１の記録媒体に記録された複数の楽曲を第２の記録媒体に記録する記録方法において、前記第１の記録媒体に記録されている楽曲がフォルダに属している楽曲であった場合、前記第２の記録媒体に記録した楽曲を前記フォルダに対応するグループで管理されるように記録する記録方法。
（１０）請求項８乃至９のいずれかに記載の記録方法を、コンピュータにより実行可能なプログラムとして実施する記録プログラム。
【発明の効果】
【００１３】
本発明の記録装置、記録方法および記録プログラムによれば、以下のような効果を得ることができる。
【００１４】
例えばＭＤのような楽曲をグループ管理する記録媒体から、例えばメモリオーディオ、ＵＳＢオーディオ、内蔵ＨＤＤ等のデジタルオーディオ機器へ音楽情報（楽曲）を記録した際に、記録元のグループ構造が、記録先のフォルダ構造にそのまま反映されるとともに、記録元のグループ名が、記録先のフォルダ名として付与されるので、ユーザは、記録後のフォルダを、分類整理用として、新たに作成して、また、各フォルダ名を入力するという手間を省くことができる。
【００１５】
逆に、例えばメモリオーディオ、ＵＳＢオーディオ、内蔵ＨＤＤ等のデジタルオーディオ機器から、例えばＭＤのように楽曲をグループ管理する記録媒体に対して音楽情報（楽曲）を記録した際に、記録元のフォルダ構造が、記録先のグループ構造にそのまま反映されるとともに、記録元のフォルダ名が、記録先のグループ名として付与されるので、ユーザは、記録後のグループを、分類整理用として、新たに作成して、また、各グループ名を入力する手間を省くことができる。
【００１６】
さらに、記録元となる記録媒体と、記録先となる記録媒体との間では、楽曲が管理されるグループと、楽曲が属するフォルダとが対応付けされて、それぞれで楽曲情報が分類整理されて、かつ、同一の名称が付与されるので、双方の記録媒体における楽曲情報の管理が容易となる。
【発明を実施するための最良の形態】
【００１７】
以下、本発明による記録装置、記録方法および記録プログラムの好適な実施例について添付図を参照して説明する。なお、以下の説明においては、本発明による記録装置、記録方法を説明するが、かかる記録方法をコンピュータにより実行可能なプログラムとして実施しても良いことは言うまでもない。
【００１８】
（本発明の特徴）
本発明の実施例の説明に先立って、本発明の特徴についてまず説明する。本発明は、第１の記録媒体に記録された複数の楽曲を第２の記録媒体に記録する装置において、前記第１の記録媒体に記録されている楽曲がグループ管理されている楽曲であった場合、前記第２の記録媒体に前記グループに対応したフォルダを作成し、前記グループに属する楽曲を前記作成したフォルダに属するように記録するものである。
【００１９】
また、本発明は、第１の記録媒体に記録された複数の楽曲を第２の記録媒体に記録する記録方法において、前記第１の記録媒体に記録されている楽曲がグループ管理されている楽曲であった場合、前記第２の記録媒体に前記グループに対応したフォルダを作成し、前記グループに属する楽曲を前記作成したフォルダに属するように記録するものである。
【００２０】
（実施例の構成）
次に、本発明の記録装置の構成例について、図１を用いて説明する。図１は、本発明の記録装置の構成概要の一例を示すブロック構成図であり、ＭＤの記録／再生部のみならずＣＤの再生部も備えたＭＤＣＤシステムとして、ＭＤまたはＣＤとリムーバブルメモリや内蔵メモリ、外付けＨＤＤや内蔵ＨＤＤ、あるいは、ＵＳＢメモリ等との間で楽曲の記録を行うことが可能な装置構成の一例を示している。
【００２１】
つまり、図１に示す記録装置１００は、ＭＤメカ部１、ＣＤメカ部２、ＤＳＰ３、ＤＡＣ４、アンプ部５、スピーカ６、セレクタ７、ＡＤＣ８、システムマイコン９、表示部１１、操作部１２、ＵＳＢコントローラ１３を、少なくとも備え、ＭＤ１０、ＣＤ２０、リムーバブルメモリ／内蔵メモリ２１、外付けＨＤＤ／内蔵ＨＤＤ２２、ＵＳＢメモリ２３の間の楽曲の記録（コピーや移動）を可能としている。
【００２２】
ＭＤメカ部１は、ＭＤ１０をロードし、ロードされたＭＤ１０を所定の回転速度で回転させて、ピックアップやＲＦアンプにより音楽情報を記録または再生するとともに、ＭＤのＵＴＯＣ（User Table Of Contents）エリアに、ＭＤグループの構成情報（スタートトラック、エンドトラック、トラック数など）、および、ＭＤグループに付与したＭＤグループ名に関する情報を読み書きする。ＣＤメカ部２は、同様に、ＣＤ２０をロードし、ロードされたＣＤ２０を所定の回転速度で回転させて、ピックアップやＲＦアンプによりＣＤ２０に記録された情報を光学的に読み取る。
【００２３】
ＤＳＰ３は、ＭＤやＣＤまたは各種メモリやＨＤＤ等に記録されているデータの信号処理を行うＬＳＩであり、ＭＤ１０、ＣＤ２０、リムーバブルメモリ／内蔵メモリ２１、外付けＨＤＤ／内蔵ＨＤＤ２２、ＵＳＢメモリ２３の間の相互のデジタル信号形式の変換を行うエンコード機能・デコード機能、および、スピーカ６（またはイヤホン）へ出力するためのデジタル音声信号に変換する機能を有する。
【００２４】
ＤＡＣ４は、ＤＳＰ３から出力されたデジタル音声信号をアナログ信号に変換する変換器であり、アンプ部５は、ＤＡＣ４から出力されるアナログ信号を増幅するメインの増幅器であり、スピーカ６は、アンプ部５からのアナログ音声信号を音波として出力する。
【００２５】
また、記録装置１００は、ＣＤメカ部２からアナログ音声信号を読み取ったり、外部からアナログ信号を入力したりすることも可能であり、セレクタ７を介して、いずれかのアナログ信号を選択して、ＡＤＣ８に入力する。ＡＤＣ８は、セレクタ７から出力されたアナログ音声信号をデジタル信号に変換する変換器であり、変換したデジタル信号は、ＤＳＰ３に入力される。
【００２６】
表示部１１は、再生用や記録用の楽曲の一覧を表示したり、媒体内の管理情報を表示したり、ユーザへのガイダンス情報を表示したりするディスプレイやランプであり、操作部１２は、楽曲の選択、ＭＤグループの作成、フォルダの作成、楽曲ファイルの作成、作成したＭＤグループやフォルダや楽曲ファイルの名前の入力、記録動作（コピーまたは移動動作）の指示などを行うキー、ボタンなどからなっている。また、ＵＳＢコントローラ１３は、ＵＳＢ端子やＵＳＢケーブルに接続されたＵＳＢ機器（ＵＳＢメモリ２３など）との間の情報の記録動作を制御するものである。
【００２７】
システムマイコン９は、記録装置１００全体の動作を制御する制御部であり、ＭＤ１０の読み書き動作、ＣＤ２０の読み出し動作、スピーカ６からの再生出力、ＭＤ１０、ＣＤ２０、リムーバブルメモリ／内蔵メモリ２１、外付けＨＤＤ／内蔵ＨＤＤ２２、ＵＳＢメモリ２３の間の記録動作（コピーまたは移動動作）、記録動作時における管理情報の作成（ＭＤグループやフォルダの作成など）や関連付け（ＭＤグループとフォルダとの関連付け、ＭＤグループ名とフォルダ名との関連付けなど）、さらには、管理情報の表示部１１への表示などの動作を制御する。
【００２８】
（実施例の動作）
次に、図１のＭＤ１０の楽曲をデジタルオーディオ機器用記録媒体例えばＵＳＢメモリ２３に記録する際の動作について、図２を用いて説明する。図２は、ＭＤの楽曲をデジタルオーディオ機器用記録媒体例えばＵＳＢメモリに記録する際の動作の一例を説明するフローチャートである。なお、記録先のデジタルオーディオ機器用記録媒体は、ＵＳＢメモリ２３の場合のみならず、リムーバブルメモリ／内蔵メモリ２１であっても、外付けＨＤＤ／内蔵ＨＤＤ２２であっても、同様の手順で記録動作を行うことができる。
【００２９】
ユーザが操作部１２からＭＤ１０の楽曲をＵＳＢメモリ２３に記録する指示を行ったことをシステムマイコン９が受け付けた場合（ステップＳ１のＹＥＳ）、ロードされたＭＤ１０から読み出されたＵＴＯＣ（User  Table  of  Contents）情報を参照して、記録元のＭＤ１０から記録する楽曲がＭＤグループを構成している楽曲か否かを確認し（ステップＳ２）、ＭＤグループを構成していない場合は（ステップＳ２のＮＯ）、あらかじめ用意されているフォルダ名に連番を付けたフォルダを記録先のＵＳＢメモリ２３内に作成し、記録先のフォルダとして指定する（ステップＳ３）。
【００３０】
一方、ＭＤグループを構成していた場合は（ステップＳ２のＹＥＳ）、記録元のＭＤ１０から今回記録する楽曲が、当該ＭＤグループの第１曲目の楽曲か否かを判定し（ステップＳ４）、第１曲目ではなかった場合には（ステップＳ４のＮＯ）、一つ前に記録した楽曲と同一のＵＳＢメモリ２３内のフォルダを記録先のフォルダとして指定する（ステップＳ５）。
【００３１】
また、ＭＤグループを構成している第１曲目であった場合には（ステップＳ４のＹＥＳ）、記録元のＭＤ１０には、ＭＤグループ名（ＭＤグループタイトル名）が付与されているか否かをＵＴＯＣ情報に基づいて判定し（ステップＳ６）、ＭＤグループ名が付与されていなかった場合には（ステップＳ６のＮＯ）、あらかじめ用意されているフォルダ名に連番を付けたフォルダを記録先のＵＳＢメモリ２３内に作成し、記録先のフォルダとして指定する（ステップＳ７）。一方、ＭＤグループ名が付与されていた場合には（ステップＳ６のＹＥＳ）、付与されていたＭＤグループ名に相当するフォルダ名を付したフォルダを記録先のＵＳＢメモリ２３内に作成し、記録先のフォルダとして指定する（ステップＳ８）。
【００３２】
しかる後に、システムマイコン９は、ＭＤメカ部１を駆動してＭＤ１０から今回記録対象の楽曲を読み出して、ＤＳＰ３にて、ＵＳＢメモリ２３に記録するファイル形式に変換した後、記録先のＵＳＢメモリ２３内の指定されたフォルダ内にＵＳＢコントローラ１３を介して記録する記録動作を開始する（ステップＳ９）。ＭＤ１０の１つの楽曲の記録が終了するまで、記録動作を継続し（ステップＳ１０，Ｓ１１）、１曲の記録が終了すると（ステップＳ１１のＹＥＳ）、次に、記録した楽曲にＭＤ１０の曲名（トラック名）が付与されているか否かを確認する（ステップＳ１２）。
【００３３】
ＭＤ１０に当該楽曲の曲名が付与されていた場合には（ステップＳ１２のＹＥＳ）、ＭＤ１０の曲名を、ＵＳＢメモリ２３内に記録した楽曲ファイルのファイル名として付与し（ステップＳ１３）、ＭＤ１０に当該楽曲の曲名が付与されていなかった場合には（ステップＳ１２のＮＯ）、ＵＳＢメモリ２３内に記録した楽曲ファイルのファイル名として、あらかじめ用意されている楽曲名に連番を追加した楽曲名を付与する（ステップＳ１４）。しかる後、ＭＤ１０から記録する次の楽曲がＭＤ１０に存在しているか否かを確認して、次の楽曲が存在している場合は（ステップＳ１５のＹＥＳ）、ステップＳ２に戻って、次の楽曲をＵＳＢメモリ２３に記録動作を繰り返すが、次の楽曲が存在しなくなった場合は（ステップＳ１５のＮＯ）、ＭＤ１０からＵＳＢメモリ２３への記録動作を終了する。
【００３４】
かくのごとく、ＭＤ１０からメモリオーディオ、ＵＳＢオーディオ、内蔵ＨＤＤ等のデジタルオーディオ機器に楽曲を記録する際に、記録元のＭＤ１０のグループ構造を反映して、ＭＤグループごとに、記録先のデジタルオーディオ機器のフォルダを分けて記録するとともに、記録元のＭＤ１０に付与されたＭＤグループ名を反映して、記録先のデジタルオーディオ機器に作成したフォルダそれぞれに、対応するフォルダ名を付与して、ＭＤ１０と同様のフォルダ構造として、楽曲ファイルを格納する動作を行う。
【００３５】
次に、図２の場合とは逆方向に、図１のデジタルオーディオ機器用記録媒体例えばＵＳＢメモリ２３の楽曲をＭＤ１０に記録する際の動作について、図３を用いて説明する。図３は、デジタルオーディオ機器用記録媒体例えばＵＳＢメモリの楽曲をＭＤに記録する際の動作の一例を説明するフローチャートである。なお、記録元のデジタルオーディオ機器用記録媒体は、ＵＳＢメモリ２３の場合のみならず、リムーバブルメモリ／内蔵メモリ２１であっても、外付けＨＤＤ／内蔵ＨＤＤ２２であっても、同様の手順で記録動作を行うことができる。
【００３６】
ユーザが操作部１２からＵＳＢメモリ２３のフォルダ内の楽曲をＭＤ１０に記録するする指示を行ったことをシステムマイコン９が受け付けた場合（ステップＳ２１のＹＥＳ）、システムマイコン９は、ＵＳＢコントローラ１３を制御して、ＵＳＢメモリのフォルダから記録する楽曲を読み出して、ＤＳＰ３にて、ＭＤ１０に記録するファイル形式に変換した後、ＭＤメカ部１を駆動して記録先のＭＤ１０の指定した空きトラックに記録動作を開始する（ステップＳ２２）。
【００３７】
ＵＳＢメモリ２３の１つの楽曲の記録が終了するまで、記録動作を継続し（ステップＳ２３、Ｓ２４）、１曲の記録が終了すると（ステップＳ２４のＹＥＳ）、次に、記録したＭＤ１０の楽曲の楽曲名（トラック名）としてＵＳＢメモリ２３にて付与されている楽曲ファイル名を付与する（ステップＳ２５）。
【００３８】
しかる後、ＵＳＢメモリ２３から記録する次の楽曲がＵＳＢメモリ２３に存在しているか否かを確認して、次の楽曲が存在している場合は（ステップＳ２６のＹＥＳ）、ステップＳ２２に戻って、次の楽曲をＭＤ１０に記録動作を継続するが、次の楽曲が存在しなくなった場合は（ステップＳ２６のＮＯ）、ＵＳＢメモリ２３のフォルダ構造に対応付けて、ＭＤ１０に最初に記録したトラック位置から最後に記録したトラック位置までを１つのＭＤグループとして形成するとともに、形成したＭＤグループに、ＵＳＢメモリ２３のフォルダ名に相当するＭＤグループ名を付与したＵＴＯＣ情報を作成し、ＭＤ１０のＵＴＯＣエリアに格納する（ステップＳ２７）。以上により、ＵＳＢメモリ２３からＭＤ１０への記録動作を終了する。
【００３９】
かくのごとく、メモリオーディオ、ＵＳＢオーディオ、内蔵ＨＤＤ等のデジタルオーディオ機器からＭＤ１０に楽曲を記録する際に、記録元のデジタルオーディオ機器に作成されていたフォルダ構造を反映して、フォルダごとに、記録先のＭＤ１０のＭＤグループを分けて記録するとともに、記録元のデジタルオーディオ機器に付与されていたフォルダ名を反映して、記録先のＭＤ１０に作成したＭＤグループそれぞれに、対応するＭＤグループ名を付与して、記録元のデジタルオーディオ機器と同様のＭＤグループ構造として、楽曲ファイルを格納する動作を行う。
【００４０】
（他の実施例）
ＭＤからデジタルオーディオ機器に楽曲を記録する場合、記録元のＭＤのＭＤグループごとに対応付けた形でフォルダを分けて作成するのみならず、作成した各フォルダを纏めた親フォルダを作成し、該親フォルダのフォルダ名として、記録元のＭＤのディスクタイトル名（ＤＩＳＣ  ＴＩＴＬＥ  ＮＡＭＥ）を反映させるようにしても良い。
【００４１】
さらに、ＭＤのグループ名に相当するフォルダ名が付されたフォルダ内に記録される各楽曲ファイルのタグ情報にも、ＭＤのグループ名に関する情報が付けられても良い。
【００４２】
なお、ＭＤに限らず、グループ構造やフォルダ構造を有するＣＤなどの音楽再生媒体に対しても、当然のことながら、本発明を適用することが可能である。
【００４３】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【図面の簡単な説明】
【００４４】
【図１】本発明の記録装置装置の構成概要の一例を示すブロック構成図である。
【図２】ＭＤの楽曲をデジタルオーディオ機器用記録媒体に記録する際の動作の一例を説明するフローチャートである。
【図３】デジタルオーディオ機器用記録媒体の楽曲をＭＤに記録する際の動作の一例を説明するフローチャートである。
【図４】ＭＤの楽曲を例えばＵＳＢオーディオに記録する際の従来の動作を説明するフローチャートである。
【符号の説明】
【００４５】
１        ＭＤメカ部
２        ＣＤメカ部
３        ＤＳＰ
４        ＤＡＣ
５        アンプ部
６        スピーカ
７        セレクタ７
８        ＡＤＣ
９        システムマイコン
１０      ＭＤ
１１      表示部
１２      操作部
１３      ＵＳＢコントローラ
２０      ＣＤ
２１      リムーバブルメモリ／内蔵メモリ
２２      外付けＨＤＤ／内蔵ＨＤＤ
２３      ＵＳＢメモリ
１００    記録装置
【図１】
2008299949.tif 000003
【図２】
2008299949.tif 000004
【図３】
2008299949.tif 000005
【図４】
2008299949.tif 000006